(57)【特許請求の範囲】
【請求項１】
ドア２０を配置した出入り部１０の床面１１と該出入り部１０の室内外床面１，２を略均一面とし、上記出入り部１０の床面１１上には、弾性体からなる床タイト材１２を閉位置にあるドア２０のドア框２１の室外側面に当接するように配置し、上記出入り部１０の縦枠１３には、弾性体からなる縦タイト材１５を閉位置にあるドア２０のドア框２１の室外側面に当接するように配置し、前記縦枠１３と床面１１との接合隅部に、床タイト材１２の端部に当接させて一定高さの補助タイト材１６を配置し、且つ、該補助タイト材１６に上記ドア框２１の室外側面への当接面を形成すると共に、補助タイト材１６は、止水ピース１７を介して縦枠１３に取り付けてあり、縦タイト材１５と補助タイト材１６とを左右方向に二重に設けてあることを特徴とするドア付出入り部の止水装置。
【請求項２】
上記出入り部１０の床面材として下枠１１を配置し、該下枠１１上面に床タイト材１２を配置するに当って、下枠１１に形成した取付凹部１１ａに、床タイト材１２の下部に形成した取付部１２ａを嵌合することを特徴とする請求項１記載のドア付出入り部の止水装置。
【請求項３】
上記縦枠１３に縦タイト材１５を配置するに当って、縦タイト材１５は縦枠１３の出入り部側に突出させたタイト材保持枠１４に取り付け、更に、前記止水ピース１７はタイト材保持枠１４の室外側面に当接させることを特徴とする請求項１又は２記載のドア付出入り部の止水装置。
【請求項４】
上記出入り部１０の両側を浴室と更衣室とし、床タイト材１２は、閉位置にあるドア２０の下框２１ａの更衣室側面に当接させることを特徴とする浴室用の請求項１乃至３記載のいずれかのドア付出入り部の止水装置。
【発明の詳細な説明】
【０００１】
【発明の属する技術分野】
本発明は、主として、浴室の開閉ドア下枠部が浴室内外の床面と略均一面に、即ち、バリアフリーに形成されたドア付出入り部に適用される止水装置に関する。
【０００２】
【従来の技術】
浴室の出入り部や玄関の出入り部において、高齢者や身体障害者に対する安全上の配慮からバリアフリーの技術が提案されている。しかし、浴室の出入り部のような場所においては、下面が室内外水平な、いわゆる均一面の構造が望ましいけれども、均一にすると浴室内の湯水が更衣室の方に漏れてしまうことから止水上の配慮が必要となっている。
通常、浴室内の湯水は、排水されるまでに浴室床面に一時的に滞留し、ある程度の水位をもつものと、シャワー使用時にドア本体にかかり流れるものとがある。浴室の出入り部の止水性についてはこれらの両方を考慮しなければならない。
【０００３】
そこで、特開平０９−２２８７５６号公報には、バリアフリー構造の玄関ドアの止水構造において、ドア側の上下動する下気密材と縦気密材との交差する隙間にコーナー気密材を設けた技術が提案されている。
また、本出願人が先に出願した特開平１１−９３５４０号公報では、バリアフリー構造の玄関ドアにおいて、気密材を保持する樹脂製ホルダーを縦枠の下部に設けて、樹脂製ホルダーの取付位置を調整可能として水密性の確立を図った技術を提示している。
【０００４】
更に、本出願人が先に出願した特願平１１−８５００５号に提示されているドアの水密装置では、浴室ドアの止水性を向上させる手段として、戸当り側縦枠とドア本体のタイトを二重に設けるために、戸当り側縦枠に主タイト（縦シール）を、また、ドア本体に縦框タイト材をそれぞれ設けている。そして、この技術においては、縦框タイト材を縦框の全長にわたって設けた場合、全長での当りを確保するため弱いあたりのタイト材とする必要がある。
【０００５】
【発明が解決しようとする課題】
本発明は上記先願のものを更に改良したものであって、その課題とするところは、浴室等のバリアフリータイプのドア付出入り部において、簡単な構成により止水性を更に向上させることにある。
【０００６】
【課題を解決するための手段】
上記課題を達成するために、請求項１記載のドア付出入り部の止水装置は、ドア２０を配置した出入り部１０の床面１１と該出入り部１０の室内外床面１，２を略均一面とし、上記出入り部１０の床面１１上には、弾性体からなる床タイト材１２を閉位置にあるドア２０のドア框２１の室外側面に当接するように配置し、上記出入り部１０の縦枠１３には、弾性体からなる縦タイト材１５を閉位置にあるドア２０のドア框２１の室外側面に当接するように配置し、前記縦枠１３と床面１１との接合隅部に、床タイト材１２の端部に当接させて一定高さの補助タイト材１６を配置し、且つ、該補助タイト材１６に上記ドア框２１の室外側面への当接面を形成すると共に、補助タイト材１６は、止水ピース１７を介して縦枠１３に取り付けてあり、縦タイト材１５と補助タイト材１６とを左右方向に二重に設けてあることを特徴とする。
【０００７】
請求項２記載のドア付出入り部の止水装置は、上記手段において、上記出入り部１０の床面材として下枠１１を配置し、該下枠１１上面に床タイト材１２を配置するに当って、下枠１１に形成した取付凹部１１ａに、床タイト材１２の下部に形成した取付部１２ａを嵌合することを特徴とする。
請求項３記載のドア付出入り部の止水装置は、上記いずれかの手段において、上記縦枠１３に縦タイト材１５を配置するに当って、縦タイト材１５は縦枠１３の出入り部側に突出させたタイト材保持枠１４に取り付け、更に、前記止水ピース１７はタイト材保持枠１４の室外側面に当接させることを特徴とする。
【０００８】
請求項４記載のドア付出入り部の止水装置は、上記いずれかの手段において、上記出入り部１０の両側を浴室と更衣室とし、床タイト材１２は閉位置にあるドア２０の下框２１ａの更衣室側面に当接させることを特徴とする。
【０００９】
【発明の実施の形態】
次に、本発明の実施例を説明する。
本発明のドア付出入り部の止水装置は、図３に示す浴室の出入り部に採用したもので、出入り部１０に設けられたドア２０は一枚の片開き形式で、縦枠１３ａに開閉自在に軸着されている。また、符号１３はドア２０の戸当り側の縦枠である。本発明の特徴は図３の（Ｂ）部分、即ち、特に図１，２に示すように、出入り部１０の下枠１１、及び、戸当り側縦枠１１の下端部のコーナー部の構造にある。
【００１０】
縦枠１３と縦枠１３ａのそれぞれの出入り部１０側には、図５に示すように、それぞれタイト材保持枠１４が上下方向に全長にわたって形成され、各タイト材保持枠１４に形成された長孔には、ブラシ状の縦タイト材１５が取り付けられる。
そして、縦タイト材１５の端部は、ドア２０の閉状態においてドア框２１の室外側（更衣室側）に当接させ、ドア２０に当る湯水が浴室側から更衣室側に漏れないようにする。上記構成により、ドア２０に直接当る雨水や湯水は縦タイト材１５で止水される。
【００１１】
下枠１１の上面は、図４に示すように、浴室内・外の床面１，２と略均一面に形成されている。そして、出入り部床面を形成する下枠１１には、その長さ方向に両端部を残して床タイト材１２が装着されている。
【００１２】
床タイト材１２は、ゴムなどの薄板状の弾性体で形成され、その横断面は略三角形の筒状であり、頂部は室内側に傾斜しており、ドア２０の閉時には、ドア框２１の更衣室側面２１ｃに当接するように設けられる。そして、この床タイト材１２は、出入りする人や車椅子の車輪が踏んだ場合は変形して略平坦になる。
また、下枠１１上面に床タイト材１２を配置するに当っては、下枠１１に形成した取付凹部１１ａに、床タイト材１２の下部に形成した取付部１２ａを押圧して嵌合させる。なお、本実施例の取付部１２ａは、その中心部に孔が形成され、その結果、変形し易く、押圧・嵌合が容易になっている。
上記構成により、床タイト材１２は出入りの邪魔にならない状態で床上の湯水を常時止水し、しかも、浴室への人の出入りに障害とはならない。
【００１３】
図１又は図２に示すように、タイト材保持枠１４の下端部と床タイト材１２との間のコーナー部には、床タイト材１２の端部に当接させた状態で、直方体形状で弾性体からなる補助タイト材１６が設けられる。この補助タイト材１６は止水ピース１７に取り付けられており、補助タイト材１６はその室外側に付設されている取付片１８により、タイト材保持枠１４の室外側に当接させながら縦枠１３に取り付けられる。したがって、図６に示すように、コーナー部では、縦タイト材１５と補助タイト材１６とが左右方向に二重に設けられ且つ両タイト材１５，１６は同じ向き（浴室向き）に配置されていることになる。
【００１４】
また、上記実施例の説明は、出入り部１０における戸当り側の縦枠１３下部の止水構造について例示したが、ドア２０の軸支側の止水についても、図５に示すように対称的な形状ながら上記の構成と同様である。
なお、補助タイト材１６の高さは、床タイト材１２の高さの２〜４倍程度とし、好ましくは、３倍程度がよい。また、本実施例では止水ピース１７と取付片１８とは一体形成されており、取付片１８に穿設された取付孔１８ａにより縦枠１３にビス等で取り付けられる。
【００１５】
本実施例は、上記構成により床タイト材１２は出入りの邪魔にならない状態で床上の湯水を常時止水し、且つ、ドア２０に直接当たる雨水や湯水は縦タイト材１５で止水し、更に、一定高さの補助タイト材１６及び止水ピース１７により、コーナー部における床面の湯水及び縦タイト材１５を通過した雨水等を止水するから、例え、短時間に多量の激しい雨水がこのドアに当った場合であっても、きわめて高い止水性を実現することができる。
【００１６】
特に、縦タイト材１５と補助タイト材１６とを床面１１周辺において左右方向に二重に設け、且つ、補助タイト材１６を縦タイト材１５と同じ向きで形成したので、補助タイト材１６として多少強い当りのタイト材を採用してもドアを変形させることがない。また、補助タイト材１６を縦タイト材１５の内側に適宜高さで設けているので、シャワー使用時等にドア２０にかかり、流れる水においては、縦タイト材１５と補助タイト材１６との間に湯水が流れ込み、ドア２０を超えて湯水が流れ出すことがない。また、補助タイト１６を止水ピースと一体としているので、補助タイト材１６の取付作業が容易で、かつ、止水性の品質向上もはかれる。
【００１７】
更に、床面として下枠１１を配置し、該下枠１１上面に床タイト材１２を設けることで、床タイト材１２の取付・交換等の施工やメンテナンスが容易になる。
更に、縦枠１３に縦タイト材１５を配置するに当って、縦タイト材１５は縦枠１３の出入り部側に突出させたタイト材保持枠１４に取り付け、更に、前記止水ピース１７はタイト材保持枠１４の室外側面に当接させることで、止水ピース１７を介して補助タイト材１６の取付施工を容易且つ確実に行うことができる。
特に、出入り部１０の両側を浴室と更衣室とし、床タイト材１２は、閉位置にあるドア２０の下框２１ａの更衣室側面に当接させることで、浴室出入り部１０の構成を簡素化すると共に浴室と更衣室との止水を確実とし、衛生的で湯水管理が容易な浴場とすることができる。
【００１８】
また、上記実施例においては、床タイト材１２は、その側面でドア框２１の更衣室面に当接するようにしたが、床タイト材１２に取付段差を設け、該段差部がドア下框２１の更衣室面に当るものでもよい。また、上記実施例は、ドア２０が片開き形式のもので説明したが、図７に示す別例のように、二つ折形式のドアに適用してもよい。また、上記実施例において、補助タイト材１６の高さ、幅、材質等は適宜選択できるものとする。
また、上記特許請求の範囲には、実施例との相対関係を明瞭にするために、図面符合を付したが、本発明はこれに限定されるものではない。
【００１９】
【発明の効果】
本発明は、上記構成により、下記の効果を奏する。
１．請求項１記載の発明によれば、ドアを配置した出入り部の床面と該出入り部の室内外床面を略均一面とし、上記出入り部の床面上には、弾性体からなる床タイト材を閉位置にあるドアのドア框の室外側面に当接するように配置し、上記出入り部の縦枠には、弾性体からなる縦タイト材を閉位置にあるドアのドア框の室外側面に当接するように配置し、前記縦枠と床面との接合隅部に、床タイト材の端部に当接させて一定高さの補助タイト材を配置し、且つ、該補助タイト材に上記ドア框の室外側面への当接面を形成すると共に、補助タイト材は、止水ピースを介して縦枠に取り付けてあり、縦タイト材１５と補助タイト材１６とを左右方向に二重に設けてあることで、床タイト材は出入りの邪魔にならない状態で床上の湯水を常時止水し、且つ、ドアに直接当たる雨水や湯水は縦タイト材で止水し、更に、一定高さの補助タイト材及び止水ピースにより、コーナー部における床面の湯水及び縦タイト材を通過した雨水等を止水するから、例え、短時間に多量の激しい雨水がこのドアに当った場合であっても、きわめて高い止水性を実現することができる。特に、縦タイト材と補助タイト材とを床面周辺において二重に設け、且つ、補助タイト材を縦タイト材と同じ向きで形成したので、補助タイト材として多少強い当りのタイト材を採用してもドアを変形させることがない。また、補助タイト材を縦タイト材の内側に適宜高さで設けているので、シャワー使用時等にドアにかかり、流れる水においては、縦タイト材と補助タイト材との間に湯水が流れ込み、ドアを超えて湯水が流れ出すことがない。また、補助タイトを止水ピースと一体としているので、補助タイトの取付作業が容易で、かつ、止水性の向上も図ることができる。
【００２０】
２．請求項２記載の発明によれば、上記効果に加えて、上記出入り部の床面材として下枠を配置し、該下枠上面に床タイト材を配置するに当って、下枠に形成した取付凹部に、床タイト材の下部に形成した取付部を嵌合することで、床タイト材の取付・交換等の施工やメンテナンスが容易になる。
３．請求項３記載の発明によれば、上記いずれかの効果に加えて、縦枠に縦タイト材を配置するに当って、縦タイト材は縦枠の出入り部側に突出させたタイト材保持枠に取り付け、更に、前記止水ピースはタイト材保持枠の室外側面に当接させることで、止水ピースを介して補助タイト材の取付施工が容易且つ確実になる。
【００２１】
４．請求項４記載の発明によれば、上記いずれかの効果において、上記出入り部１０の両側を浴室と更衣室とし、床タイト材は、閉位置にあるドアの下框の更衣室側面に当接させることで、浴室出入り部の構成を簡素化すると共に浴室と更衣室との止水を確実とし、衛生的で湯水管理が容易な浴場とすることができる。
【図面の簡単な説明】
【図１】本発明の実施例の浴室側からみた要部斜視図。
【図２】同実施例の更衣室側からみた要部斜視図。
【図３】同実施例の浴室側からみた正面図。
【図４】図３のＡ−Ａ線の概略断面図。
【図５】同実施例の出入り部を浴室側からみた要部正面図。
【図６】同実施例の作用説明図。
【図７】同実施例の別例の水平断面図。
【符号の説明】
１・・・室内[浴室]床面
２・・・室外[更衣室]床面
１０・・出入り部
１１・・(出入り部の)床面[下枠]
１１ａ・・・取付凹部
１２・・床タイト材
１２ａ・・取付部
１３・・（戸当り側の）縦枠
１３ａ・・（軸支側の）縦枠
１４・・タイト材保持枠
１５・・縦タイト材
１６・・補助タイト材
１７・・止水ピース
１８・・取付片
１８ａ・・取付孔
２０・・ドア
２１・・ドア框
２１ａ・・下框
２１ｂ・・縦框
２１ｃ・・室外側面[更衣室側面]
【図１】
0004562273.tif 000002
【図２】
0004562273.tif 000003
【図３】
0004562273.tif 000004
【図４】
0004562273.tif 000005
【図５】
0004562273.tif 000006
【図６】
0004562273.tif 000007
【図７】
0004562273.tif 000008